(57)【要約】【課題】第１部材を第２部材に固定する螺子を収納して保持し得る螺子収納構造を複雑な工程を要することなく形成する。【解決手段】螺子収納構造は第１突設片及び第２突設片を備える。第１突設片及び第２突設片は、第１部材から突設され、第１部材を第２部材に固定する螺子の収納空間を形成する。螺子を収納空間内に係止し得る係止片が第２突設片ではなく第１突設片に形成される。【選択図】図４Ｂ
2015224736.tif 000002
【特許請求の範囲】
【請求項１】
第１部材から突設される第１突設片及び第２突設片を備え、
前記第１突設片及び前記第２突設片は、前記第１部材を第２部材に固定する螺子の収納空間を形成し、
前記螺子を前記収納空間内に係止し得る係止片が前記第２突設片ではなく前記第１突設片に形成される螺子収納構造。
【請求項２】
複数の前記係止片が前記第１突設片の突設方向において異なる位置に形成される請求項１に記載の第１部材に形成される螺子収納構造。
【請求項３】
前記第２突設片の形状は、前記第１突設片の突設方向から見た平面視において、Ｃ字状又はコの字状である請求項１または請求項２に記載の第１部材に形成される螺子収納構造。
【請求項４】
前記第１突設片及び前記第２突設片が、前記第１部材に形成される凹部の底面から突設される請求項１〜請求項３のいずれかに記載の第１部材に形成される螺子収納構造。
【請求項５】
前記係止片の前記第１部材に対向する面が、前記第１突設片から離れるにつれて前記第１部材から離れる方向に傾斜している請求項１〜請求項４のいずれかに記載の第１部材に形成される螺子収納構造。
【発明の詳細な説明】
【技術分野】
【０００１】
本発明は、第１部材を第２部材に固定する螺子を収納する構造に関し、特に、第１部材に形成される螺子収納構造に関する。
【背景技術】
【０００２】
現在、液晶テレビジョンのほとんどのモデルでは、梱包箱のサイズ削減のため、工場出荷時にスタンドを本体から分離し、本体及びスタンドを同じ梱包箱に収納して梱包している。製品を購入したユーザは、付属の螺子を用いて、液晶テレビジョンの本体にスタンドを取り付ける。この螺子は、通常、ポリ袋などに入れて製品に同梱される小さな部品である。そのため、ユーザは、付属の螺子を見つけ難く、開梱時に粉失し易い。そのため、従来では、たとえば特許文献１のように、付属の螺子をスタンドなどの部材に保持するなどの工夫がなされていた。
【０００３】
この特許文献１では、抜け止め保持体の連結盤部の螺子孔の周囲に３本の保持筒部が設けられる。螺子は、これらの保持筒部により形成される挿入孔内に収容される。また、各保持筒部の先端には、螺子の頭部を係止する抜け止め突部が内側縁に突出形成されている。これらの構造により、抜け止め保持体は螺子を抜け止め状態で挿入保持する。
【先行技術文献】
【特許文献】
【０００４】
【特許文献１】登録実用新案第３０４３９２０号公報
【発明の概要】
【発明が解決しようとする課題】
【０００５】
しかしながら、特許文献１の抜け止め保持体では、保持筒部が撓みにくい。そのため、螺子の頭部を挿入する際、抜け止め突部に大きな荷重が掛かるので、抜け止め突部が折れたり欠けたりする恐れがある。また、３本の保持筒部の全てに抜け止め突部が形成されるため、抜け止め保持体の製造工程において、保持筒部（特に抜け止め突部）を形成する際、その金型が複雑な形状となり、抜け止め突部近傍の金型を外す空間を確保しにくい。従って、製造工程が複雑化するという問題がある。
【０００６】
本発明は、このような状況を鑑みてなされたものであり、第１部材を第２部材に固定する螺子を収納して保持し得る螺子収納構造を複雑な工程を要することなく形成することを目的とする。
【課題を解決するための手段】
【０００７】
上記目的を達成するために、本発明の一の態様による螺子収納構造は、第１部材から突設される第１突設片及び第２突設片を備え、第１突設片及び第２突設片は、第１部材を第２部材に固定する螺子の収納空間を形成し、螺子を収納空間内に係止し得る係止片が第２突設片ではなく第１突設片に形成される構成（第１の構成）とされる。
【０００８】
上記第１の構成によれば、第１突設片及び第２突設片が第１部材から突設される。第１部材を第２部材に固定する螺子を収納空間内に係止し得る係止片は、第２突設片ではなく、第１突設片に形成される。そのため、比較的複雑な形状の金型を用いることなく、螺子収納構造を第１部材に形成することができる。また、形成時に、係止片近傍の金型を外す空間を確保し易くなる。従って、第１部材を第２部材に固定する螺子を収納して保持し得る螺子収納構造を複雑な工程を要することなく形成することができる。
【０００９】
さらに、第１部材を第２部材に固定しない状態では、螺子を収納空間内に収納して保管できる。そのため、螺子の保管用具（ポリ袋など）を不要にすることができ、保管時などに螺子を保管用具に入れる手間も省くことができる。また、第１部材を第２部材に固定する際などにユーザが螺子を探す手間を省くことができ、螺子の紛失を防止することもできる。
【００１０】
また、上記第１の構成の螺子収納構造において、複数の係止片が第１突設片の突設方向において異なる位置に形成される構成（第２の構成）としてもよい。
【００１１】
上記第２の構成によれば、複数の係止片の間に螺子が保持されるので、収納空間内での第１突設片の突設方向における螺子の移動を防止することができる。従って、螺子の移動に伴う異音の発生を抑制又は防止することができる。
【００１２】
また、上記第１又は第２の構成の螺子収納構造において、第２突設片の形状は、第１突設片の突設方向から見た平面視において、Ｃ字状又はコの字状である請求項１または請求項２に記載の第１部材に形成される構成（第３の構成）としてもよい。
【００１３】
上記第３の構成によれば、第２突設片により第１突設片の突設方向と直交する方向における螺子の移動を抑制又は防止することができる。従って、該突設方向と直行する方向における螺子の移動に伴う異音の発生を抑制又は防止することができる。
【００１４】
また、上記第１〜第３のいずれかの構成の螺子収納構造において、第１突設片及び第２突設片が、第１部材に形成される凹部の底面から突設される構成（第４の構成）としてもよい。
【００１５】
上記第４の構成によれば、螺子収納構造が第１部材の凹部の底面から突設されるため、螺子収納構造のうち、該凹部の外部に突出する部分が少なくなる。従って、該突出する部分が邪魔になり難いので、たとえば第１部材の装脱着又は第１部材の保管などがし易くなる。
【００１６】
また、上記第１〜第４のいずれかの構成の螺子収納構造において、係止片の第１部材に対向する面が、第１突設片から離れるにつれて第１部材から離れる方向に傾斜している構成（第５の構成）としてもよい。
【００１７】
上記第５の構成によれば、収納空間内に収納されている螺子を係止片の第１部材に対向する面で係止することができるとともに、螺子を係止片の第１部材側からその反対側へ比較的容易に移動させることもできる。従って、たとえば、螺子を収納空間から取り外したり、第１部材と係止片との間にある螺子を複数の係止片間に移動させて保持させたりすることをより容易に行うことができる。
【発明の効果】
【００１８】
本発明によれば、第１部材を第２部材に固定する螺子を収納して保持し得る螺子収納構造を複雑な工程を要することなく形成することができる。
【図面の簡単な説明】
【００１９】
【図１】螺子収納構造を有する液晶テレビジョンの分解斜視図である。
【図２】スタンドの凹部の拡大斜視図である。
【図３】第１実施形態に係る螺子収納構造の拡大断面図である。
【図４Ａ】螺子の挿入直前における螺子収納構造の断面斜視図である。
【図４Ｂ】螺子の挿入後における螺子収納構造の断面斜視図である。
【図４Ｃ】スタンドを液晶テレビジョン本体に装着した際の螺子収納構造の断面斜視図である。
【図５Ａ】第１実施形態の変形例に係る螺子収納構造の斜視図である。
【図５Ｂ】第１実施形態の他の変形例に係る螺子収納構造の斜視図である。
【図６Ａ】第２実施形態に係る螺子収納構造の外観斜視図である。
【図６Ｂ】第２実施形態に係る螺子収納構造の断面斜視図である。
【図７】第３実施形態に係る螺子収納構造の断面斜視図である。
【発明を実施するための形態】
【００２０】
以下に、図面を参照して、本発明の実施形態を説明する。
【００２１】
＜第１実施形態＞
図１は、螺子収納構造１を有する液晶テレビジョンの分解斜視図である。図１に示すように、液晶テレビジョンは、スタンド１００（第１部材）と液晶テレビジョン本体２００（第２部材）とに分離可能である。組み立ての際には、３本の螺子３００を用いてスタンド１００が液晶テレビジョン本体２００に装着される。なお、螺子３００の数は、この例示に限定されず、１〜２又は４以上であってもよい。
【００２２】
スタンド１００の裏面１００ａには凹部１０１が形成されている。図２は、スタンド１００の凹部１０１の拡大斜視図である。凹部１０１の底面１０１ａには、スタンド１００をその厚さ方向に貫通する３つの螺子取付孔１０１ｂが形成されている。螺子３００は、スタンド１００の裏面１００ａから螺子取付孔１０１ｂを介して液晶テレビジョン本体２００の雌螺子孔２００ａに螺合され（図１参照）、スタンド１００を液晶テレビジョン本体２００に固定する。また、図２に示すように、各螺子取付孔１０１ｂの周囲には、螺子収納構造１が形成されている。螺子収納構造１は、外部から螺子取付孔１０１ｂに挿入される螺子３００を内部の収納空間１ａに脱着可能に収納及び保持することができる。なお、螺子取付孔１０１ｂ、螺子収納構造１、及び雌螺子孔２００ａの数はそれぞれ、この例示に限定されず、１〜２又は４以上であってもよい。
【００２３】
図３は、第１実施形態に係る螺子収納構造１の拡大断面図である。なお、図３では、凹部１０１の底面１０１ａの法線方向をｚで示している。これは、他の図においても同様に示される。
【００２４】
図３に示すように、螺子収納構造１は、リブ２と、側壁部３と、を含んで構成されている。また、リブ２、側壁部３、及び凹部１０１の底面１０１ａにより囲まれた空間が収納空間１ａとなっている。
【００２５】
リブ２は、凹部１０１の底面１０１ａからｚ方向に突設される板状の第１突設片である。その断面形状は、ｚ方向から見て細長い長方形となっている。側壁部３に対向するリブ２の内側面には、収納空間１ａ内に収納された螺子３００の頭部３０１を係止するための係止片２１が形成されている。収納空間１ａ内でのｚ方向における螺子３００の移動は係止片２１により制限される。また、リブ２において、この係止片２１と凹部１０１の底面１０１ａとの間には、リブ２を形成する際に金型を外す空間を確保するための開口部２２が形成されている。なお、以下では、この開口部２２をアンダースペース２２と呼ぶ。
【００２６】
側壁部３は、凹部１０１の底面１０１ａからｚ方向に突設される第２突設片であり、リブ２とともに収納空間１ａを形成している。その断面形状は、ｚ方向から見た平面視において、円の一部を切り欠いたＣ字状の円弧形状となっている。収納空間１ａに螺子３００が収納される状態にて、側壁部３の内面は、螺子３００の頭部３０１と摺動可能に当接しており、ｚ方向に直交する方向における螺子３００の移動をリブ２と共に制限している。
【００２７】
図３に示す螺子収納構造１では、スタンド１００を液晶テレビジョン本体２００に固定する螺子３００を収納空間１ａ内に係止し得る係止片２１は、側壁部３ではなく、リブ２に形成される。すなわち、係止片２１は側壁部３には形成されない。そのため、比較的複雑な形状の金型を用いることなく、螺子収納構造１をスタンド１００に形成することができる。また、リブ２を形成する際に、係止片２１近傍の金型を外す空間を確保し易くなる。従って、液晶テレビジョン本体２００にスタンド１００を固定する螺子３００を収納して保持し得る螺子収納構造１を複雑な工程を要することなく形成することができる。
【００２８】
さらに、スタンド１００を液晶テレビジョン本体２００に固定しない状態では、螺子３００を収納空間１ａ内に収納して保管できる。そのため、螺子３００の保管用具（ポリ袋など）を不要にすることができ、保管時などに螺子３００を保管用具に入れる手間も省くことができる。また、スタンド１００を液晶テレビジョン本体２００に固定する際などにユーザが螺子３００を探す手間を省くことができ、螺子３００の紛失を防止することもできる。
【００２９】
また、図２及び図３に示すように、螺子収納構造１では、リブ２及び側壁部３が、スタンド１００に形成される凹部１０１の底面１０１ａから突設される。そのため、螺子収納構造１のうち、スタンド１００の裏面１００ａから突出する部分（該凹部１０１の外部に突出する部分）が少なくなる。従って、該突出する部分が邪魔になり難いので、たとえばスタンド１００の装脱着又は保管などがし易くなっている。
【００３０】
次に、螺子収納構造１に挿入された螺子３００の収納空間１ａ内での収納状態について説明する。図４Ａは、螺子３００の挿入直前における螺子収納構造１の断面斜視図である。図４Ｂは、螺子３００の挿入後における螺子収納構造１の断面斜視図である。図４Ｃは、スタンド１００を液晶テレビジョン本体２００に装着した際の螺子収納構造１の断面斜視図である。
【００３１】
螺子取付孔１０１ｂに挿入される螺子３００は、図４Ａに示すように収納空間１ａの外部から螺子収納構造１に挿入される。係止片２１の上面はテーパ状又は斜面となっており且つリブ２は収納空間１ａの外方に撓みやすくなっている。そのため、螺子取付孔１０１ｂの上方から螺子３００を螺子収納構造１に押し込むだけで、ドライバーなどの工具を用いてねじ込む必要なく、螺子収納構造１に螺子３００を挿入することができる。
【００３２】
螺子３００の頭部３０１が係止片２１を乗り越えると、図４Ｂに示すように、螺子３００の頭部３０１が収納空間１ａ内において凹部１０１の底面１０１ａと係止片２１との間に移動可能に収納され、螺子３００の軸部３０２が螺子取付孔１０１ｂに挿入される。なお、スタンド１００が螺子３００で液晶テレビジョン本体２００に装着されていない場合、螺子３００の頭部３０１は凹部１０１の底面１０１ａと係止片２１との間においてｚ方向に移動可能となっている。ただし、係止片２１の下面２１１（凹部１０１の底面１０１ａと対向する面）はｚ方向と直交している。そのため、収納空間１ａ内の螺子３００がｚ方向に移動すると、螺子３００の頭部３０１が係止片２１の下面２１１で係止される。従って、螺子収納構造１に挿入された螺子３００は、リブ２を撓ませる程度に強い外力を受けない限り、螺子収納構造１から簡単には脱落しなくなっている。
【００３３】
スタンド１００を液晶テレビジョン本体２００に装着する際には、図４Ｃに示すように、収納空間１ａ内に収納されている螺子３００がドライバーなどの工具でねじ込まれる。そのため、ユーザが螺子３００を扱う手間を省いて、螺子３００の軸部３０２を液晶テレビジョン本体２００の雌螺子孔２００ａに螺合させることができる。従って、ユーザは、たとえば、螺子３００を雌螺子孔２００ａにあてがわなくてもよいし、螺合時に螺子３００を指でつまんで固定しなくてもよい。雌螺子孔２００ａに螺子３００を螺合することにより、螺子３００の頭部３０１は、リブ２、係止片２１、及び側壁部３に負荷を掛けることなく、凹部１０１の底面１０１ａを液晶テレビジョン本体２００に向かって押圧する。
【００３４】
なお、ユーザが螺子収納構造１から螺子３００を取り外したい場合には、ユーザは、スタンド１００の裏面１０１ｂとは逆の主面から、螺子取付孔１０１ｂに細い棒などを差し込めばよい。そして、ユーザは、螺子３００の頭部３０１がリブ２を撓ませて係止片２１を乗り越えて移動できる程度の力で、螺子３００の軸部３０２の先端を押せばよい。こうすれば、ユーザは、比較的簡単に、螺子３００を螺子収納構造１から取り出すことができる。
【００３５】
＜第１実施形態の変形例＞
上述の説明では、リブ２の断面形状が細長い長方形状であり且つ側壁部３の断面形状がＣ字状である螺子収納構造１を例示したが、リブ２及び側壁部３の形状はこの例示に限定されない。図５Ａは第１実施形態の変形例に係る螺子収納構造１の斜視図である。図５Ｂは第１実施形態の他の変形例に係る螺子収納構造１の斜視図である。
【００３６】
図５Ａに示すように、リブ２の断面形状はｚ方向から見た平面視において円弧形状であってもよい。この際、リブ２の断面形状は、螺子取付孔１０１ｂ及びＣ字状の側壁部３と同一の中心点を有する円弧形状であると好ましく、螺子３００の頭部３０１の側周縁が内接する円弧形状であればさらに好ましい。こうすれば、リブ２及び側壁部３は、螺子３００の頭部３０１の側周縁をｚ方向に摺動可能に保持して、ｚ方向と直交する方向における該螺子３００の移動をより確実に抑制又は防止することができる。そのため、ｚ方向と直交する方向における該螺子３００の移動に起因する異音の発生を抑制又は防止することができる。
【００３７】
また、側壁部３の断面形状は、ｚ方向から見た平面視において、リブ２の突設位置に対応する部分を切り欠いた多角形状（たとえば図５Ｂに示すようなコの字状）であってもよい。この際、側壁部３の断面形状は、螺子３００の頭部３０１の側周縁が内接する多角形状であると好ましい。このようにしても、リブ２及び側壁部３は、螺子３００の頭部３０１の側周縁をｚ方向に摺動可能に保持して、ｚ方向に直交する方向における該螺子３００の移動を制限することができる。
【００３８】
＜第２実施形態＞
次に、第２実施形態について説明する。第２実施形態では、リブ２の内面のｚ方向に異なる位置に２つの係止片２１ａ、２１ｂが形成される。それ以外は、第１実施形態と同様である。以下では、第１実施形態と異なる構成について説明する。また、第１実施形態と同様の構成部には同じ符号を付し、その説明を省略することがある。
【００３９】
図６Ａは、第２実施形態に係る螺子収納構造１の外観斜視図である。また、図６Ｂは、第２実施形態に係る螺子収納構造１の断面斜視図である。図６Ａ及び図６Ｂに示すように、側壁部３に対向するリブ２の内側面には、ｚ方向に異なる位置に第１係止片２１ａ及び第２係止片２１ｂが形成されている。また、リブ２において、第１係止片２１ａと第２係止片２１ｂとの間及び第２係止片２１ｂと底面１０１ａとの間には、アンダースペース２２が形成されない。よって、リブ２（特に第１係止片２１ａ）を形成する際に金型を外す空間を確保するために、リブ２と側壁部３との間の少なくとも一方の隙間は、リブ２に１つの係止片２１を形成する螺子収納構造１（たとえば図２参照）よりも広くなっている。
【００４０】
第１係止片２１ａ及び第２係止片２１ｂは、螺子３００の頭部３０１を保持できるように形成されている。そのため、第１係止片２１ａの下面２１１ａと第２係止片２１ｂの上面との間の間隔は、少なくとも頭部３０１の側周縁のｚ方向における厚さ以上に設定されている。こうすれば、第１係止片２１ａと第２係止片２１ｂとの間に螺子３００の頭部３０１を保持できるので、収納空間１ａ内でのｚ方向における螺子３００の移動を抑制又は防止することができる。従って、螺子３００の移動に伴う異音の発生を抑制又は防止することができる。
【００４１】
なお、この間隔は、螺子３００の頭部３０１のｚ方向の厚さと同程度の距離に設定されるとより好ましい。こうすれば、第１係止片２１ａと第２係止片２１ｂとの間に螺子３００の頭部３０１をより確実に保持して、螺子３００のガタツキを防止できる。従って、螺子３００の移動に伴う異音の発生をより確実に防止することができる。
【００４２】
また、上述の構成では、リブ２の内側面にアンダースペース２２は形成されないが、本発明の螺子収納構造１はこの例示に限定されない。第１係止片２１ａと第２係止片２１ｂとの間及び第２係止片２１ｂと底面１０１ａとの間に、アンダースペース２２がそれぞれ形成されてもよい。こうすれば、リブ２を形成する際に金型を外す空間をリブ２と側壁部３との間の少なくとも一方の隙間に確保する必要がない。従って、この場合には、リブ２と側壁部３との間の隙間は、リブ２に１つの係止片２１を形成する螺子収納構造１（たとえば図２）と同程度にすることができる。
【００４３】
＜第３実施形態＞
次に、第３実施形態について説明する。第３実施形態では、第２係止片２１ｂの下面２１１ｂは、テーパ状又は斜面となっており、リブ２から離れるにつれて凹部１０１の底面１０１ａから離れる方向に傾斜している。それ以外は、第２実施形態と同様である。以下では、第２実施形態と異なる構成について説明する。また、第２実施形態と同様の構成部には同じ符号を付し、その説明を省略することがある。
【００４４】
図７は、第３実施形態に係る螺子収納構造１の断面斜視図である。図７に示すように、第２係止片２１ｂの下面２１１ｂはテーパ状又は斜面となっている。そのため、凹部１０１の底面１０１ａと第２係止片２１ｂとの間にある螺子３００の頭部３０１が、第２係止片２１ｂを乗り越えて、第１係止片２１ａと第２係止片２１ｂとの間に移動することが容易になっている。こうすれば、収納空間１ａ内に収納されている螺子３００を第２係止片２１ｂの下面２１１ｂで係止することができるとともに、螺子３００を第２係止片２１ｂの底面１０１ａ側からその反対側へ比較的容易に移動させることもできる。従って、底面１０１ａと第２係止片２１ｂとの間にある螺子３００の頭部３０１を第１係止片２１ａと第２係止片２１ｂとの間に移動させて保持させることを容易に行うことができる。
【００４５】
以上、本発明の実施形態について説明した。なお、上述の実施形態は例示であり、その各構成要素や各処理の組み合わせに色々な変形が可能であり、本発明の範囲にあることは当業者に理解されるところである。
【００４６】
たとえば、上述の第１〜第３実施形態では、１つ又は２つの係止片２１がリブ２の内側面に形成されているが、係止片２１の数は、これらの例示に限定されず、３つ以上の複数であってもよい。こうすれば、各係止片２１間に螺子３００を保持できるので、収納空間１ａ内でのｚ方向における螺子３００の移動を抑制又は防止して、螺子３００のガタツキを防止することができる。従って、螺子３００の移動に伴う異音の発生を抑制又は防止することができる。
【００４７】
また、上述の第１実施形態では係止片２１の下面２１１がｚ方向と直交し、上述の第２及び第３実施形態では第１係止片２１ａの下面２１１ａもｚ方向と直交しているが、本発明の適用範囲はこの例示に限定されない。リブ２の内側面に形成される一部又は全部の係止片２１の下面２１１が、リブ２から離れるにつれて凹部１０１の底面１０１ａから離れる方向に傾斜するテーパ状又は斜面となっていてもよい。たとえば、上述の第１実施形態の係止片２１の下面２１１、及び、上述の第２及び第３実施形態の第１係止片２１ａの下面２１１ａがテーパ状又は斜面となっていてもよい。こうすれば、収納空間１ａ内に収納されている螺子３００をテーパ状又は斜面の下面２１１、２１１ａで係止することができるとともに、該下面２１１を有する係止片２１、又は該下面２１１ａを有する第１係止片２１ａの底面１０１ａ側から収納空間１ａの外部へと螺子３００を比較的容易に移動させることもできる。従って、ユーザが螺子３００を螺子収納構造１から取り外したい場合には、螺子３００を収納空間１ａから容易に取り外すことができる。
【００４８】
本発明は、螺子３００を用いてスタンド１００を液晶テレビジョン本体２００に装着する液晶テレビジョンに適用しているが、本発明の適用範囲はこの例示に限定されない。本発明は、螺子３００を用いた取り付け構造を有するものであれば広く適用可能である。たとえば、本発明は、別々に梱包された部材を螺子３００で組み立てる電子機器のみならず、螺子３００を用いて複数の部材を組み立てる組立家具などにも適用することができる。
【符号の説明】
【００４９】
１  螺子収納構造
１ａ  収納空間
２  リブ
２１  係止片
２１１  下面
２１ａ  第１係止片
２１ｂ  第２係止片
２２  アンダースペース
３  側壁部
１００  スタンド
１００ａ  裏面
１０１  凹部
１０１ａ  底面
１０１ｂ  螺子取付孔
２００  液晶テレビジョン本体
２００ａ  雌螺子孔
３００  螺子
３０１    頭部
３０２    軸部
【図３】
2015224736.tif 000003
【図４Ａ】
2015224736.tif 000004
【図４Ｂ】
2015224736.tif 000005
【図４Ｃ】
2015224736.tif 000006
【図６Ａ】
2015224736.tif 000007
【図６Ｂ】
2015224736.tif 000008
【図７】
2015224736.tif 000009
【図１】
2015224736.tif 000010
【図２】
2015224736.tif 000011
【図５Ａ】
2015224736.tif 000012
【図５Ｂ】
2015224736.tif 000013